(57)【要約】  仮想移動体サービス事業者（ＭＶＮＯ）による自社ブランド無線商品の開発を可能にするアーキテクチャが提供される。ＭＶＮＯイネーブラー（ＭＶＮＥ）システムは、ブランドシステムと無線ネットワークとの仲介役として機能する。ＭＶＮＥシステムは、顧客管理、受注管理、アプリケーション管理、及び請求管理を制御する。１実施例において、ＭＶＮＥシステムは、顧客管理、受注管理、アプリケーション管理、及び請求管理のためのモジュールを備える。別の実施例において、ＭＶＮＥシステムは、上記サービスを提供するサードパーティシステムとのインターフェースを備える。更に別の実施例において、ＭＶＮＥシステムは、複数のブランドシステム、複数の無線ネットワーク、及び複数のサードパーティシステムを備えてもよい。様々なインターフェースを用いることにより、カスタマイズされた無線商品を開発することができる。
2007505516.tif 000002
【特許請求の範囲】
【請求項１】
無線通信サービスを提供するための装置であって、
モジュール間の通信を可能にするための入出力を有する統合ハブと、
アダプタ・サービスを提供するための入出力を有し、該入出力が前記統合ハブに連結される第１モジュールと、
アプリケーション・サービスを提供するための入出力を有し、該入出力が前記統合ハブに連結される第２モジュールと、
を備えることを特徴とする装置。
【請求項２】
前記統合ハブはサードパーティシステムと通信するための相互接続機能を有することを特徴とする請求項１に記載した装置。
【請求項３】
前記統合ハブはＭＶＮＥモジュールと通信するための相互接続機能を有することを特徴とする請求項１に記載した装置。
【請求項４】
前記統合ハブはユーザ入力を受信するための相互接続機能を有することを特徴とする請求項１に記載した装置。
【請求項５】
前記第１のモジュールはデータをサードパーティフォーマットから前記第２モジュール用のフォーマットに変換することを特徴とする請求項１に記載した装置。
【請求項６】
前記第１モジュールはデータをサードパーティフォーマットから汎用フォーマットに変換することを特徴とする請求項１に記載した装置。
【請求項７】
前記汎用フォーマットはカノニカル・フォーマットであることを特徴とする請求項６に記載した装置。
【請求項８】
前記第１モジュールはサードパーティ要素と通信するためのインターフェースを有し、該インターフェースは、ＸＭＬ／ＨｔｔｐのＭＤＢラッパー・インターフェース、ＸＭＬ／ＨｔｔｐのＡＰＩラッパー・インターフェース、ＣＲＢＡのＥＪＢラッパー、ＳＯＡＰ・ＸＭＬ／ＨｔｔｐのＡＰＩラッパー、ＰＯＳＡ用ソケット・サーバ、ＡＰＩラッピング・ストアド・プロセジャのうちの１つであることを特徴とする請求項１に記載した装置。
【請求項９】
前記第２モジュールは対話サービスの開発を容易にすることを特徴とする請求項１に記載した装置。
【請求項１０】
前記第２モジュールはＭＶＮＥモジュールとサードパーティシステムとの間におけるトランザクションを容易にすることを特徴とする請求項１に記載した装置。
【請求項１１】
前記第２モジュールは、トランザクション・パーシステンス、ロールバック、ジャーナル処理、エラー処理、及びキューイングのうちの１つを実行することを特徴とする請求項１に記載した装置。
【請求項１２】
ブランド設定システム及び無線ネットワークを含む仮想移動体ネットワークを制御するためのシステムであって、
仲介役として機能し、前記ブランド設定システム及び前記無線ネットワークと通信するための入出力を有するゲートウェイであって、前記ブランド設定システム及び前記無線ネットワークに連結されたゲートウェイと、
仮想移動体ネットワークの機能を実行するための第１モジュールであって、前記ゲートウェイに連結された入出力を有する第１モジュールと、
を備えることを特徴とするシステム。
【請求項１３】
請求項１２に記載したシステムであって、前記ゲートウェイは、
モジュール間の通信を可能にするための入出力を有する統合ハブと、
アダプタ・サービスを提供するための入出力を有し、該入出力が前記統合ハブに連結されるアダプタ・モジュールと、
アプリケーション・サービスを提供するための入出力を有し、該入出力が前記統合ハブに連結されるアプリケーション・モジュールと、
を備えることを特徴とするシステム。
【請求項１４】
前記統合ハブはサードパーティシステムと通信するための相互接続機能を有することを特徴とする請求項１３に記載したシステム。
【請求項１５】
前記統合ハブはＭＶＮＥモジュールと通信するための相互接続機能を有することを特徴とする請求項１３に記載したシステム。
【請求項１６】
前記第アダプタ・モジュールはデータをサードパーティフォーマットから前記アプリケーション・モジュール用のフォーマットに変換することを特徴とする請求項１３に記載したシステム。
【請求項１７】
前記アダプタ・モジュールはデータをサードパーティフォーマットからカノニカル・フォーマットに変換することを特徴とする請求項１３に記載したシステム。
【請求項１８】
前記アダプタ・モジュールはサードパーティ要素と通信するためのインターフェースを有し、該インターフェースは、ＸＭＬ／ＨｔｔｐのＭＤＢラッパー・インターフェース、ＸＭＬ／ＨｔｔｐのＡＰＩラッパー・インターフェース、ＣＲＢＡのＥＪＢラッパー、ＳＯＡＰ・ＸＭＬ／ＨｔｔｐのＡＰＩラッパー、ＰＯＳＡ用ソケット・サーバ、ＡＰＩラッピング・ストアド・プロセジャのうちの１つであることを特徴とする請求項１６に記載したシステム。
【請求項１９】
前記アプリケーション・モジュールは対話サービスの開発を容易にすることを特徴とする請求項１３に記載したシステム。
【請求項２０】
前記アプリケーション・モジュールは、トランザクション・パーシステンス、ロールバック、ジャーナル処理、エラー処理、及びキューイングのうちの１つを実行することを特徴とする請求項１３に記載したシステム。
【請求項２１】
前記ゲートウェイは、サードパーティシステムとの通信を可能にするためのアダプタを有し、前記システムはサードパーティシステムに連結するためのインターフェースを有することを特徴とする請求項１２に記載したシステム。
【請求項２２】
前記ゲートウェイは、各々がサードパーティシステムとの通信を可能にする複数のアダプタを有し、前記システムは、サードパーティシステムに連結するための複数のインターフェースを有することを特徴とする請求項１２に記載したシステム。
【請求項２３】
前記サードパーティシステムは、コンテンツ・システム、請求システム、照合システム、クレジットカード・システム、配信センター及び小売店のうちの１つであることを特徴とする請求項２１に記載したシステム。
【請求項２４】
仮想移動体ネットワークを支援する機能を実行するための入出力を有するＭＶＮＥモジュールを更に備え、前記ＭＶＮＥの入出力は前記ゲートウェイに連結されていることを特徴とする請求項１２に記載したシステム。
【請求項２５】
前記ＭＶＮＥモジュールによって実行される機能は、請求管理、顧客管理、受注管理、ＰＩＮ管理、ＥＳＮ管理、ＳＩＭ管理、メッセージング、支払い管理、レポート、プリペイド確認のうちの１つであることを特徴とする請求項２４に記載したシステム。
【請求項２６】
移動体仮想ネットワークを支援する機能を実行するための入出力を各々有する複数のＭＶＮＥモジュールを更に備え、上記各ＭＶＮＥの入出力は前記ゲートウェイに連結されていることを特徴とする請求項１２に記載したシステム。
【請求項２７】
前記複数のＭＶＮＥモジュールによって実行される機能は、請求管理、顧客管理、受注管理、ＰＩＮ管理、ＥＳＮ管理、ＳＩＭ管理、メッセージング、支払い管理、レポート、プリペイド確認のうちの１つであることを特徴とする請求項２６に記載したシステム。
【請求項２８】
無線通信サービスを提供するためのシステムであって、
ブランドシステムと対話するための第１インターフェース・モジュールと、
無線ネットワークと対話するための第２インターフェース・モジュールと、
前記第１インターフェース・モジュール及び前記第２インターフェース・モジュールに連結され、前記システムを制御するための制御モジュールと、
を備えることを特徴とするシステム。
【請求項２９】
第１のサードパーティシステムと対話するための第３インターフェース・モジュールを更に備えることを特徴とする請求項２８に記載したシステム。
【請求項３０】
第２のサードパーティシステムと対話するための第４インターフェース・モジュールを更に備えることを特徴とする請求項２９に記載したシステム。
【請求項３１】
顧客管理モジュールを更に備えることを特徴とする請求項２８に記載したシステム。
【請求項３２】
受注管理モジュールを更に備えることを特徴とする請求項２８に記載したシステム。
【請求項３３】
アプリケーション管理モジュールを更に備えることを特徴とする請求項２８に記載したシステム。
【請求項３４】
請求管理モジュールを更に備えることを特徴とする請求項２８に記載したシステム。
【請求項３５】
無線通信サービスを提供するためのシステムであって、
第１ブランドシステムと対話するための第１インターフェース・モジュールと、
第２ブランドシステムと対話するための第２インターフェース・モジュールと、
無線ネットワークと対話するための第３インターフェース・モジュールと、
前記第１インターフェース・モジュール、前記第２インターフェース・モジュール、及び前記第２インターフェース・モジュールに連結され、前記システムを制御するための制御モジュールと、
を備えることを特徴とするシステム。
【請求項３６】
サードパーティシステムと対話するための第４インターフェース・モジュールを更に備えることを特徴とする請求項３５に記載したシステム。
【請求項３７】
無線通信サービスを提供するためのシステムであって、
第１無線ネットワークと対話するための第１インターフェース・モジュールと、
第２無線ネットワークと対話するための第２インターフェース・モジュールと、
ブランドシステムと対話するための第３インターフェース・モジュールと、
前記第１インターフェース・モジュール、前記第２インターフェース・モジュール、及び前記第２インターフェース・モジュールに連結され、前記システムを制御するための制御モジュールと、
を備えることを特徴とするシステム。
【請求項３８】
サードパーティシステムと対話するための第４インターフェース・モジュールを更に備えることを特徴とする請求項３７に記載したシステム。
【発明の詳細な説明】
【技術分野】
【０００１】
関連出願の相互参照
本発明は、この参照により開示に含まれる次の米国実用新案出願の一部継続出願である：２００４年８月１６日に提出され、「仮想移動体サービス事業者（ＭＶＮＯ）による自社ブランド無線商品の開発を可能にするアーキテクチャ」というタイトルがつけられている出願番号１０／ｘｘｘ，ｘｘｘ。また、本発明は、この参照により開示に含まれる次の米国仮特許出願による優先権を主張している：２００３年８月２０日に提出され、「仮想移動体サービス事業者及び無線通信事業者とインターフェースで接続し、付加的なサービスを提供することにより自社ブランドの無線ソリューションを実現すること」というタイトルがつけられている出願番号６０／４９６，９７３。
【０００２】
本発明は仮想移動体サービス事業者（ＭＶＮＯ）による自社ブランド無線商品の開発を可能にするアーキテクチャに関し、特に、ＭＶＮＯがカスタマイズされた無線商品を開発できるようにするシステムに関する。また、特に、本発明は、ＭＶＮＯ用ゲートウェイに関する。
【背景技術】
【０００３】
無線サービス市場に参入したい企業は数多くあるが、参入には高い障壁がある。顧客管理、受注管理、アプリケーション管理、及び請求管理には技術が要求される。カスタマーケアや流通及びフルフィルメント等のサービスをアウトソーシングするためには、サードパーティのインターフェースが必要とされる。コールセンターやウェブポータル等、加入者のインターフェースも必要とされる。
【０００４】
更に重要なことには、無線通信事業者は、全国にまたがるセルラー・ネットワーク、音声・データ伝送、北米番号計画の管理、請求システムに入力するための標準（生）コール詳細レコード（ＣＤＲ）を提供しなければならない。携帯電話技術やインフラが高価であるだけでなく、収益を上げて運営するためには数百万人もの加入者が必要とされる。
【０００５】
これに対し、無線市場に企業が新規参入している。彼らは移動体仮想ネットワーク事業者（ＭＶＮＯ）として知られている。ＭＶＮＯは、上記の顧客管理、受注管理、アプリケーション管理、及び請求管理を含む自社ブランド無線サービスを提供する。しかしながら、ＭＶＮＯは無線ネットワークを持たない。代わりに、ＭＶＮＯはネットワーク事業者に、基礎となる設備や通信機能を提供して貰い、必要に応じて自社のシステムをネットワーク事業者システムに接続している。一般的に、各ＭＶＮＯは、それぞれ異なるブランドの無線サービスを提供している。
【０００６】
ＭＶＮＯは無線ネットワーク事業を運営していないが、それ以外の自社ブランド無線商品を構築するためには莫大な時間やその他リソースが必要となる。ＭＶＮＯは、加入者のインターフェース及びサードパーティのインターフェースや、顧客管理、受注管理、アプリケーション管理、及び請求管理の技術を提供する必要がある。更に、このようなサービスを相互に連携し、完全なソリューションを提供しなくてはならない。このようなコストや複雑さは、多くの消費者ブランドが無線サービス市場に参入しＭＶＮＯになることを妨げている。
【０００７】
上記コスト及び複雑さに対処することにより、消費者ブランドがＭＶＮＯになることを可能にするための方法が必要とされている。
【発明の開示】
【０００８】
本発明は、仮想移動体サービス事業者（ＭＶＮＯ）による自社ブランド無線商品の開発を可能にするシステム及び方法を提供することにより、従来技術の限界を克服するものである。ＭＶＮＯイネーブラー（ＭＶＮＥ）システムはブランドシステムと無線ネットワークとの仲介役として機能し、ブランドシステム・インターフェース及び無線ネットワーク・インターフェースとから構成される。ＭＶＮＥシステム、ブランドシステム、及び無線ネットワークが共に自社ブランドの無線商品を提供する。
【０００９】
ＭＶＮＥシステムは顧客管理、受注管理、アプリケーション管理、及び請求管理を制御する。ＭＶＮＥシステムは、ゲートウェイと、該ゲートウェイに他のシステムを連結させるための複数のアダプタとから成る。１実施例において、ＭＶＮＥシステムは、また、顧客管理、受注管理、アプリケーション管理、及び請求管理のためのモジュールを有する。別の実施例において、ＭＶＮＥシステムは、上記サービスを提供するサードパーティシステムとのインターフェースを有する。
【００１０】
別の実施例において、ＭＶＮＥシステムは、ＭＶＮＯが複数ブランド用にカスタマイズされた無線商品を開発できるようにする。この実施例において、ＭＶＮＥシステムには、複数のブランドシステム、複数の無線ネットワーク、及び複数のサードパーティシステムとのインターフェースを備えることができる。様々なインターフェースを用いることにより、カスタマイズされた無線商品を開発することが出来る。
【００１１】
【００１２】
【００１３】
【００１４】
【００１５】
【００１６】
【００１７】
【００１８】
添付図面は、単に説明のために本発明の一実施例を示したものである。本発明の精神と範囲から逸脱することなく、ここに示した構造及び方法について別の実施例を用いることができることを当業者は容易に認知するであろう。
【発明を実施するための最良の形態】
【００１９】
ＭＶＮＯになることは、消費者ブランドが、強力なブランド、顧客基盤、流通、マーケティング、また時には自社開発のコンテンツを利用して、独自の無線サービス商品を開発するのに役立つ。自社ブランドの無線商品を開発することは、既存の顧客、流通経路、及びブランドの株式から付加価値を引き出すことにより、消費者ブランドに経済的な利益を与える。自社ブランド商品が成功を収めれば、消費者ブランドには、大きな経常加入者利益の新しい流れ、顧客との新たな自社ブランド通信経路、及びロイヤルティ・プログラムを強化し顧客との関係を深めるための独自の手段を手に入れることができる。
【００２０】
また、ＭＶＮＯの存在はネットワーク事業者にとっても経済面で有益である。ＭＶＮＯは、加入者の収益性を格段に向上し、余分なネットワーク容量を埋め、手付かずの消費者市場にアクセスするための非常に効率的な手段を提供する。ＭＶＮＯを介し、ネットワーク事業者は非常に収益性の高い卸売り事業を生み出し、投下資本からの収益を向上し、確立されたブランドを利用して顧客獲得費用を削減することができる。
【００２１】
図１は、自社ブランドの無線商品を提供する従来例のシステムを示すブロック図である。図示されたシステム１００の実施例は、１のＭＶＮＯシステム１２０、１の無線ネットワーク１１０、及びネットワーク１９０を含む。ＭＶＮＯシステム１２０は、ネットワーク１９０を介して無線ネットワーク１１０に連結されている。
【００２２】
図示された実施例において、無線ネットワーク１１０は、基盤設備及び通信機能を含む無線ネットワークから成る。例えば、無線ネットワーク１１０は、無線基地局、移動体交換局、メッセージ・サービス・センター（例えば、ショートＭＳＣやマルチメディアＭＳＣ等）、ホーム・ロケーション・レジスター（ＨＬＲ）、及び有線キャリヤを含み、これらと情報のやり取りを行う。無線ネットワーク１１０は、例えば、プロビジョニング、コール詳細レコード（ＣＤＲ）検索、トラブルチケット、カバレッジ、停止、無線番号持ち運び（ＷＮＰ）、操作支援／業務支援システム（ＯＳＳ／ＢＳＳ）インテグレーション等のサービスを実現する。ＭＶＮＯの顧客が無線装置を用いて電話をかけると、その電話は無線ネットワーク１１０を伝わる。
【００２３】
図示された実施例において、ＭＶＮＯシステム１２０は、残りの自社ブランド無線商品（例えば、無線ネットワーク１１０を除く全て）を実装するコンピュータシステムである。１実施例において、ＭＶＮＯシステム１２０は、加入者インターフェース、及び、顧客管理、受注管理、アプリケーション管理、及び請求管理の技術を提供し、これらのサービスを相互に結び付けて完全なソリューションを提供する。別の実施例において、ＭＶＮＯシステム１２０は、マーケティング、顧客獲得、及び無線商品のブランド設定も提供する。
【００２４】
ＭＶＮＯシステム１２０は、例えば、１台のコンピュータ又は相互に連結された複数のコンピュータから構成することができる。これらのコンピュータは汎用コンピュータでもよいし、上述した機能を実行するように構成されたコンピュータでもよい。ＭＶＮＯシステム１２０は、例えば、顧客情報、受注情報、及び請求情報を記憶するために１以上のデータベースも備えてもよい。
【００２５】
１実施例において、ネットワーク１９０はインターネット等の公衆通信回線である。別の実施例において、ネットワーク１９０は私的ＩＰベース・ローカルエリア・ネットワーク（ＬＡＮ）又は広域ネットワーク（ＷＡＮ）である。ネットワーク１９０への通信リンク、及びネットワーク１９０からの通信リンクは有線でも無線でも（すなわち、地上波送受信機でも衛星送受信機でも）よい。
１．自社ブランド無線商品を提供するためのシステム
【００２６】
前述のように、ＭＶＮＯは無線ネットワークを運営しないが、残りの自社ブランド無線商品を実現するためのコスト及び複雑さという問題に直面している。ＭＶＮＯがこのようなコスト及び複雑な作業をいくらかでもアウトソーシングすることができれば、消費者ブランドが無線サービス市場に参入し易くなるであろう。
【００２７】
図２Ａは、本発明の１実施例に係る自社ブランド無線商品を提供するシステムを示すブロック図である。図示されたシステム２００Ａの実施例は、１のＭＶＮＯイネーブラー（ＭＶＮＥ）システム２１０Ａ、１のブランドシステム２９０、１の無線ネットワーク１１０、及びネットワーク１９０を含む。ＭＶＮＥシステム２１０Ａはブランドシステム２９０及び無線ネットワーク１１０と対話し、これらの仲介役として機能する。ＭＶＮＥシステム２１０Ａは、２つのインターフェース２３０及び２４０を有し、各々のインターフェースにより、（ネットワーク１９０を介して）ブランドシステム２９０及び無線ネットワーク１１０と対話することが可能になる。
【００２８】
図示された実施例において、ブランドシステム２９０は、マーケティング、顧客獲得、及び無線商品のブランド設定を提供するコンピュータシステムである。ブランドシステム２９０は、顧客管理、受注管理、アプリケーション管理、及び請求管理の技術を提供しない以外は、ＭＶＮＯ１２０と同一である。代わりに、このようなサービスは、ＭＶＮＥシステム２１０Ａによって提供される。
【００２９】
図示された実施例において、ＭＶＮＥシステム２１０Ａは、顧客管理モジュール２５０、受注管理モジュール２６０、アプリケーション管理モジュール２７０、及び請求管理モジュール２８０を含む。図示された実施例において、ＭＶＮＥシステム２１０Ａは制御モジュール２２０Ａを含み、該制御モジュール２２０Ａは、ＭＶＮＥシステム２１０Ａを制御し、インターフェース２３０、２４０と顧客管理モジュール２５０、受注管理モジュール２６０、アプリケーション管理モジュール２７０、及び請求管理モジュール２８０とを相互に連結する。
【００３０】
１実施例において、顧客管理モジュール２５０は、作業命令、サービス命令、トラブルチケット、構内管理、請求管理、ロイヤルティー及び保有、不正管理、クレジット管理、及び契約管理を含む顧客関係管理を制御する。別の実施例において、受注管理モジュール２６０は、販売、アクティベーション、製品カタログ、及び製品キャンペーンを制御する。別の実施例において、アプリケーション管理モジュール２７０は、メッセージング・フレームワーク及びアプリケーション・フレームワークを制御する。別の実施例において、請求管理モジュール２８０は、請求、評価、プリペイド、課税、及び収益保証を制御する。
【００３１】
図示された実施例において、無線ネットワーク１１０及びネットワーク１９０は図１に示された実施例に関して述べた機能と同様な機能を実行する。
【００３２】
図２Ｂは、本発明の別の実施例に係る自社ブランド無線商品を提供するシステムを示すブロック図である。図示されたシステム２００Ｂの実施例は、１のＭＶＮＯイネーブラー（ＭＶＮＥ）システム２１０Ｂ、１のブランドシステム２９０、１の無線ネットワーク１１０、４つのサードパーティシステム２９２Ａ、２９２Ｂ、２９２Ｃ、２９２Ｄ、及びネットワーク１９０を含む。ＭＶＮＥシステム２１０Ｂは、ブランドシステム２９０、無線ネットワーク１１０、及びサードパーティシステム２９２と対話し、これらの仲介役となる。
【００３３】
図２Ａに示された実施例と同様に、ＭＶＮＥシステム２１０Ｂは、２つのインターフェース２３０及び２４０を有し、各々のインターフェースによりブランドシステム２９０及び無線ネットワーク１１０と対話することが可能になる。  図２Ａに示された実施例とは対照的に、本実施例においてＭＶＮＥシステム２１０Ｂは、顧客管理モジュール２５０、受注管理モジュール２６０、アプリケーション管理モジュール２７０、及び請求管理モジュール２８０を備えていない。
【００３４】
代わりに、これらのサービスはサードパーティシステム２９２によって提供される。図示された実施例において、サードパーティシステム２９２Ａは顧客管理サービスを提供し、サードパーティシステム２９２Ｂは受注管理サービスを提供し、サードパーティシステム２９２Ｃはアプリケーション管理サービスを提供し、サードパーティシステム２９２Ｄは顧客管理サービスを提供する。１実施例において、サードパーティシステム２９２Ａは、Ｓｉｅｂｅｌ Ｓｙｓｔｅｍｓ社のＳｉｅｂｅｌ  Ｃｏｍｍｕｎｉｃａｔｉｏｎｓ（登録商標）ソフトウェアから成る。別の実施例において、サードパーティシステム２９２Ｄは、Ｃｏｎｖｅｒｇｙｓ社のＩｎｆｉｎｙｓ（登録商標）Ｇｅｎｅｖａ（登録商標）評価・請求ソフトウェアから成る。
【００３５】
図示された実施例において、ＭＶＮＥシステム２１０Ｂは、顧客管理インターフェース２９５Ａ、受注管理インターフェース２９５Ｂ、アプリケーション管理インターフェース２９５Ｃ、及び請求管理インターフェース２９５Ｄから成る。図示された実施例において、ＭＶＮＥシステム２１０Ｂは、インターフェース２９５Ａ、２９５Ｂ、２９５Ｃ、２９５Ｄを用い、ネットワーク１９０を介してサードパーティシステム２９２Ａ、２９２Ｂ、２９２Ｃ、２９２Ｄとそれぞれ通信する。図示された実施例において、ＭＶＮＥシステム２１０Ｂは、制御モジュール２２０Ｂも有し、該制御モジュール２２０Ｂは、ＭＶＮＥシステム２１０Ｂを制御し、インターフェース２３０、２４０、２９５Ａ、２９５Ｂ、２９５Ｃ、２９５Ｄを相互に連結する。制御モジュール２２０Ｂは、ＭＶＮＥシステム２１０Ｂを制御しインターフェース２３０、２４０を相互に連結する点で制御モジュール２２０Ａと同様である。しかしながら、制御モジュール２２０Ｂは、モジュール２５０、２６０、２７０、２８０の代わりにインターフェース２９５Ａ、２９５Ｂ、２９５Ｃ、２９５Ｄを相互に連結する点で制御モジュール２２０Ａと異なる。
【００３６】
図示された実施例において、ブランドシステム２９０、無線ネットワーク１１０、及びネットワーク１９０は、図２Ａに示された実施例について述べた機能と同様な機能を実行する。
２．カスタマイズ可能な自社ブランド無線商品を提供するためのシステム
【００３７】
ＭＶＮＥとＭＶＮＯが規模の経済を利用できるように、ＭＶＮＥがいくつかのＭＶＮＯと協力することは有益である。例えば、ＭＶＮＥは、割引価格を得るのと引き換えに、無線ネットワーク１１０の事業者に通信時間の大量購入を申し込むことができる。別の例では、ＭＶＮＥは、同じソフトウェアを用いて複数のＭＶＮＯにサービスを提供することができる。このような規模の経済からの貯蓄がＭＶＮＯに反映されると、収益を上げて運営するためにＭＶＮＯが必要とする加入者数を著しく減少させることができるため、消費者ブランドによる無線サービス市場への参入が促進される。
【００３８】
本発明は、ＭＶＮＥがＭＶＮＯにサービスの選択肢、例えば、様々な無線通信事業者、様々なビリング・プロバイダ、様々なコンテンツ・プロバイダを提供する。言い換えれば、本発明により、ＭＶＮＥがカスタマイズされた製品及びサービス商品を提供することができる。柔軟性がないＭＶＮＥにとって、カスタム・インフラを開発し動作させて各ブランドシステム２９０と対話することは、経済面では意味がない。したがって、本発明のシステムは、ＭＶＮＥがカスタマイズされた無線商品をブランドシステム２９０のために開発することを可能にするという点で特に有利である。また、このようなシステムは、ＭＶＮＥが特定の自社ブランド無線商品の側面を必要に応じて徐々に変更することを可能にする。
【００３９】
図３は、本発明の１実施例に係るカスタム可能な自社ブランド無線商品を提供するシステムを示すブロック図である。図示されたシステム３００の実施例は、１のＭＶＮＥシステム３１０、複数のブランドシステム２９０Ａ、２９０Ｂ、複数の無線ネットワーク１１０Ａ、１１０Ｂ、複数のサードパーティシステム２９２Ａ1、２９２Ａ2、及びネットワーク１９０を含む。ＭＶＮＥシステム３１０は、ブランドシステム１９０、無線ネットワーク１１０、及びサードパーティシステム２９２Ａと対話し、これらの仲介役として機能する。
【００４０】
図示された実施例において、ＭＶＮＥシステム３１０は、６つのインターフェース２３０Ａ、２３０Ｂ、２４０Ａ、２４０Ｂ、２９５Ａ1、２９５Ａ2を含む。ブランドシステム・インターフェース２３０Ａ、２３０Ｂにより、ＭＶＮＥシステム３１０が２つのブランドシステム２９０、２９０Ｂと対話することが可能になる。図示された実施例は２つのブランドシステム・インターフェース２３０を含んでいるが、ＭＶＮＥシステム３１０はブランドシステム・インターフェース２３０いくつ含んでも良い。
【００４１】
無線ネットワーク・インターフェース２４０Ａ，２４０Ｂにより、ＭＶＮＥシステム３１０が２つの無線ネットワーク１１０Ａ、１１０Ｂと対話することが可能になる。サードパーティシステム・インターフェース２９５Ａ1、２９５Ａ2により、ＭＶＮＥシステム３１０が２つのサードパーティシステム２９２Ａ1、２９２Ａ2と対話することが可能になる。図示された実施例は２つの無線ネットワーク・インターフェース２４０及び２つのサードパーティシステム・インターフェース２９５を含むが、ＭＶＮＥシステム３１０は、無線ネットワーク・インターフェース２４０及びサードパーティシステム・インターフェース２９５をいくつ含んでも良い。
【００４２】
図示された実施例において、ＭＶＮＥシステム３１０は、制御モジュール３２０を含み、該制御モジュール３２０はＭＶＮＥシステム３１０を制御し、インターフェース２３０Ａ、２３０Ｂ、２４０Ａ、２４０Ｂ、２９５Ａ1、２９５Ａ2を相互に連結する。また、ＭＶＮＥシステム３１０は、（図示されていないが）顧客管理モジュール２５０、受注管理モジュール２６０、アプリケーション管理モジュール２７０、及び請求管理モジュール２８０（図２Ａを参照して述べた）、又は、顧客管理インターフェース２９５Ａ、受注管理インターフェース２９５Ｂ、アプリケーション管理インターフェース２９５Ｃ、及び請求管理インターフェース２９５Ｄ（図２Ｂを参照して述べた）を含む。
【００４３】
図示された実施例において、ブランドシステム２９０、無線ネットワーク１１０、及びネットワーク１９０は、図２Ａに示された実施例について述べた機能と同様の機能を実行する。
【００４４】
システム３００は２つのブランドシステム２９０、２つの無線ネットワーク１１０、及び２つのサードパーティシステム２９２Ａを含むが、システム３００は、ブランドシステム２９０、無線ネットワーク１１０、及びサードパーティシステム２９２Ａをいくつ含んでもよい。例えば、ＡというＭＶＮＯの自社ブランド無線商品は、１のブランドシステム２９０Ａ、１の無線ネットワーク１１０Ａ、及び１のサードパーティシステム２９２Ａ1を含んでもよい（例えば、ビリング・プロバイダ）。同様に、ＢというＭＶＮＯの自社ブランド無線商品は、別のブランドシステム２９０Ｂ、別の無線ネットワーク１１０Ｂ、及び別のサードパーティシステム２９２Ａ2を含んでもよい（例えば、別のビリング・プロバイダ）。
【００４５】
ＡというＭＶＮＯが顧客に対して無線ネットワーク１１０の選択肢を提供したい場合、システム３００に無線ネットワーク１１０Ａ及び無線ネットワーク１１０Ｂを備えることができる。ＡというＭＶＮＯがサードパーティにカスタマーケアをさせたい場合は、システム３００に追加のサードパーティシステム２９２Ｂを備えることができる（例えば、カスタマーケア・プロバイダ）。ＡというＭＶＮＯがサードパーティではなくＭＶＮＯシステム３１０に請求処理をさせたい場合は、システム３００からサードパーティシステムＡ1を除くことができる。本実施例では、ＭＶＮＯシステム３１０は請求管理モジュール２８０も備えることができる。
【００４６】
図４Ａは、本発明の別の実施例に係るカスタム可能な自社ブランド無線商品を提供するシステムを示すブロック図である。図示された実施例において、システム４００Ａは、１のＭＶＮＯイネーブラー（ＭＶＮＥ）システム２１０Ａ、１のブランドシステム２９０、１の無線ネットワーク１１０、ネットワーク１９０、及び公衆交換電話網（ＰＳＴＮ）を有する。システム４００Ａに連結できる装置としては、例えば、無線電話、大陸通信電話、及びコンピュータが挙げられる。
【００４７】
ＭＶＮＥシステム２１０Ａは、ブランドシステム２９０及び無線ネットワーク１１０と対話をし、これらの仲介役をする。また、ＭＶＮＥシステム２１０Ａは、２つのインターフェース２３０及び２４０（図示せず）を有し、該インターフェース２３０及び２４０によりＭＶＮＥシステム２１０Ａがそれぞれブランドシステム２９０及び無線ネットワーク１１０と対話をすることが可能になる。また、ＭＶＮＥシステム２１０Ａは、後述のゲートウェイ４１０も有する。
【００４８】
図示された実施例において、ＭＶＮＥシステム２１０Ａは、コンテンツ・システム、アドレス照合システム、クレジット・チェック・システム、クレジットカード・システム、配信センター・システム、及び小売店システムを含む。コンテンツ・システムは、無線アプリケーション・フレームワーク（ＷＡＦ）システムに送られユーザに提供されるコンテンツを記憶する。アドレス照合システムは、種々のシステムの顧客に対するアドレス照合を可能にする。１実施例において、アドレス照合システムは請求システムの支払いハンドラ機能を利用する。クレジット・チェック・システムは、顧客の支払いに対してクレジット照合を可能にする。クレジットカード・システムは、クレジットカード確認、決済、及び取り消しを実行する。１実施例において、クレジットカード・システムは請求システムの支払いハンドラ機能を利用する。１実施例において、配信センター・システムは、配信センターにより定義されたＡＰＩによりゲートウェイ４１０と一体化する。１実施例において、小売店システムは２つの要素を含む。第１の要素は、小売店の販売時点情報管理のためのものであり、ＥＳＮロック・アンロック及びＰＩＮ起動・停止を可能にする。第２の要素は送受話器及び付属品用である。
【００４９】
また、ＭＶＮＥシステム２１０Ａは、フロントエンド及びバックエンドの要素を含む。フロントエンドの要素としては、例えば、無線アプリケーション・フレームワーク（ＷＡＦ）及び認証システム、コンテンツ配信システム、メッセージング・システム、対話式音声応答装置（ＩＶＲＵ）、コールセンター・システム、顧客関係管理（ＣＲＭ）アプリケーション及びマスター顧客データベース（ＤＢ）、製品カタログ・システム、及び、ワールドワイドウェブ／無線アプリケーション・プロトコル（ＷＡＰ）及び認証システムが挙げられる。
【００５０】
ＷＡＦシステムは、アプリケーションとコンテンツの無線ネットワーク１１０への統合を促進する。１実施例において、ＷＡＦシステムは、ユーザの位置、メッセージング機能、ユーザ・プロファイル等に基づいてユーザの経験を増し、カスタマイズする。１実施例において、ＷＡＦシステムは、コンテンツ管理システム、サービス開発・実行環境、及びプレゼンテーション層を含む。
【００５１】
メッセージング・システムは、ユーザやシステムによって及びユーザやシステムに対して送られる電子メール、ＳＭＳ、及びＭＭＳ等のメッセージを処理する。ＩＶＲＵは、ＣＲＭアプリケーション及びゲートウェイ４１０とのインターフェースとなり、ユーザがシステム２１０Ａと対話することを可能にする。コールセンター・システムは、ユーザの電話を受けるコールセンターによって使用される。
【００５２】
ＣＲＭアプリケーションは、販売、プロビジョニング、請求及び営業をサポートするカスタマーケア代行業者によって使用される。１実施例において、ＷＡＦシステムは企業アプリケーション統合（ＥＡＩ）によりゲートウェイ４１０と一体化するとともに、コールセンター・システムと一体化する。１実施例において、ＣＲＭアプリケーションは、Ｓｉｅｂｅｌ Ｓｙｓｔｅｍｓ社のＳｉｅｂｅｌ  Ｃｏｍｍｕｎｉｃａｔｉｏｎｓ（登録商標）ソフトウェア、例えば、Ｓｉｅｂｅｌ社のゲートウェイ・サーバ、企業サーバ、ウェブエンジン・サーバ、データベース・サーバから成る。１実施例において、ＣＲＭシステムは、ＸＭＬ  ｏｖｅｒ  ＨＴＴＰを用いたゲートウェイ４１０、及びＪ２ＥＥコネクタ・アーキテクチャ（ＪＣＡ）を使用したアダプタとのインターフェースとして機能する。
【００５３】
製品カタログ・システムはデータベースを含み、消費者及びプロバイダにより販売目的で使用される。ワールドワイドウェブ／ＷＡＰシステムは、消費者、ブランドシステム２９０、管理者、及びＭＶＮＥシステム２１０の管理者によって使用され得るウェブポータルを含む。
【００５４】
バックエンドの要素としては、例えば、個人識別番号（ＰＩＮ）管理システム、機器シリアル番号（ＥＳＮ）管理システム、加入者識別モジュール（ＳＩＭ）管理システム、ショート・メッセージ・サービス（ＳＭＳ）ゲートウェイ、請求／評価及びコール詳細レコード（ＣＤＲ）管理システム、レポート・システム、企業リソース・プランニング（ＥＲＰ）課税システム、請求仕上げ及び印刷システム、仲介マネージャ・システム、プリペイド・ゲートウェイ・システム、及びプリペイド・サービス制御ポイント（ＳＣＰ）システムが挙げられる。
【００５５】
ＰＩＮ管理システムは、ＰＩＮのデータ・リポジトリ及び、ＰＩＮのライフサイクルを管理するアプリケーションを有する。１実施例において、ＰＩＮは、プリペイド無線商品に使われるカードに属する。ＥＳＮ管理システムは、（ＭＶＮＥ装置２１０が知っており、情報のやり取りを許可している）モバイル装置のＥＳＮのデータ・リポジトリ及び、ＥＳＮのライフサイクルを管理するアプリケーションを有する。１実施例において、ＥＳＮ管理システムは、ゲートウェイ４１０を介して小売店システム、ブランドシステム２９０、配信センター・システム、及びＣＲＭシステムとのインターフェースとしても機能する。ＳＩＭ管理システムは、ＳＩＭのデータ・リポジトリ及び、ＳＩＭのライフサイクルを管理するアプリケーションを有する。１実施例において、請求システムはＥＲＰ課税部を有する。１実施例において、請求システムはＣｏｎｖｅｒｇｙｓ社のＩｎｆｉｎｙｓ（登録商標）Ｇｅｎｅｖａ（登録商標）評価・請求ソフトウェアを有する。
【００５６】
図示された実施例において、ブランドシステム２９０、無線ネットワーク１１０、及びネットワーク１９０は、図２Ａに示された実施例について述べた機能と同様の機能を実行する。
【００５７】
図４Ｂは、本発明の別の実施例に係るカスタム可能な自社ブランド無線商品を提供するシステムを示すブロック図である。図示された実施例において、システム４００Ｂは、１のＭＶＮＥシステム２１０Ｂ、１のブランドシステム２９０、１の無線ネットワーク１１０、ネットワーク１９０、及び公衆交換電話網（ＰＳＴＮ）を含む。システム４００Ｂとのインターフェースとして用いられる装置としては、例えば、無線電話、大陸通信電話、及びコンピュータが挙げられる。
【００５８】
ＭＶＮＥシステム２１０Ｂは、ブランドシステム２９０及び無線ネットワーク１１０と対話し、これらの仲介役をする。図４に示された実施例と同様に、ＭＶＮＥシステム２１０Ｂは、２つのインターフェース２３０及び２４０（図示せず）を有し、該インターフェース２３０及び２４０によりＭＶＮＥシステム２１０Ａがそれぞれブランドシステム２９０及び無線ネットワーク１１０と対話することが可能になる。また、ＭＶＮＥシステム２１０Ｂは、ゲートウェイ４１０、フロントエンド要素、及びバックエンド要素を含む。図４に示された実施例とは対照的に、ＭＶＮＥシステム２１０Ｂは、コンテンツ・システム、アドレス確認システム、クレジット・チェック・システム、クレジットカード・システム、配信センター・システム、及び小売店システムを備えていない。
【００５９】
代わりに、これらのシステム２９２はサードパーティによって提供される。図示された実施例において、サードパーティシステム２９２はコンテンツ・システム、アドレス確認システム、クレジット・チェック・システム、クレジットカード・システム、配信センター・システム、及び小売店システムを有する。図示された実施例において、ＭＶＮＥ装置２１０Ｂはサードパーティシステム・インターフェース２９５（図示せず）も有する。更に、ゲートウェイ４１０は  サードパーティシステム２９２に接続するためのアダプタを備えている点で、図４Ａにおけるゲートウェイとは異なる。
【００６０】
図５は、本発明の１実施例に係るカスタム可能な自社ブランド無線商品を提供するシステムを示すブロック図である。図示された実施例において、システム５００は、１の無線ネットワーク１１０、１のブランドシステム２９０、１のＭＶＮＥシステム２１０、及び種々のサードパーティシステム２９２を含む。図示された実施例において、ＭＶＮＥシステム２１０はゲートウェイ４１０及び各種ＭＶＮＥモジュール５１０から成る。ゲートウェイ４１０は、更にアダプタ・サービス・モジュール５２０、アプリケーション・サービス・モジュール５３０、及び統合ハブ５４０も備えている。
【００６１】
図５は、他の実施例とは異なる複合的な方法を示す。特に、図５は、ＭＶＮＥシステム２１０をどのように複数のサードパーティシステム２９２に連結でき、複数のＭＶＮＥモジュール５１０を備えるか示している。他の代替的な実施例では、サードパーティシステム２９２及びＭＶＮＥモジュール５１０の数に合うように変更を加えたゲートウェイ４１０に同様の機能を備えることができる。例えば図４Ａと同様に、第１の代替的な実施例（図示せず）においては、サードパーティシステム２９２は必要ではなく、また、ゲートウェイ４１０に連結されず、全ての機能を別々のＭＶＮＥモジュール５１０によって処理してもよい。このような場合、アダプタ・サービス・モジュール５２０はサードパーティシステム２９２用のアダプタを有しない。対照的に、第２の代替的な実施例において、ＭＶＮＥシステム２１０は、ＭＶＮＥモジュール５１０を有しなくてもよく、代わりに、サードパーティシステム２９２に全ての機能を託してもよい。このような場合には、アダプタ・サービス・モジュール５２０はいくつかのアダプタを有し、各々のアダプタが、ゲートウェイ４１０が連結するサードパーティシステム２９２に対応する。フロントエンド要素及びバックエンド要素は、ＭＶＮＯの要求に応じて、各々（ＭＶＮＥモジュール２１０としての）ＭＶＮＥシステム２１０内に設けてもよいし、サードパーティシステム２９２内に設けてもよいことを当業者は認知しているであろう。したがって、本発明のＭＶＮＥシステム２１０は、システム５００を構成し、要求に応じて機能を備えるために最大限の柔軟性を提供する。
【００６２】
ゲートウェイ４１０の基本要素は統合ハブ５４０である。統合ハブ５４０は、ＭＮＶＥシステム２１０アーキテクチャの基幹を形成する。統合ハブ５４０は、各種サードパーティシステム２９２及びＭＶＮＥモジュール５１０に様々な方法で連結され、相互に関連する多数の機能を網羅する。統合ハブ５４０は、各種サードパーティシステム２９２及びＭＶＮＥモジュール５１０と通信するための相互に結びついた機能を有する。統合ハブ５４０は、インプリメンテーションをワークフローと一体にできるビジネス要素を相互に結び付ける領域をインプリメントするためのアプリケーション・サービス・モジュール５３０に連結される。統合ハブ５４０は、サービス要素に関連するとともに要素間メッセージングを包含する領域をインプリメントするためのアダプタ・サービス・モジュール５２０に連結される。また、統合ハブ５４０は、ユーザの対話を受信し処理するために連結してもよい。また、統合ハブ５４０は、アダプタ・サービス・モジュール５２０によるデータの汎用形式への変換を可能にすることにより、データの自由な流れを促進する。変換形式は、理論的には、互いにデータをやり取りする要素／アプリケーションを有するアプリケーション・サービス・モジュール５３０から「独立」している。この独立した形式は、カノニカル形式が好ましい。１実施例において、マスターデータを保持すると考えられるアプリケーションは、該カノニカル形式のプロトタイプを記述する。
【００６３】
アダプタ・サービス・モジュール５２０は、サードパーティシステム２９２の統合を容易にするために設けられている。アダプタ・サービス・モジュール５２０は、各種内部及びサードパーティシステム２９２用であって連続的に一体化するためのアダプタを含む。例えば、上記アダプタは、これらの外部要素と対話するために用いられる下記のようなインターフェース技術を含む：ＸＭＬ／ＨｔｔｐのＭＤＢラッパー・インターフェース、ＸＭＬ／ＨｔｔｐのＡＰＩラッパー・インターフェース、ＣＲＢＡのＥＪＢラッパー、ＳＯＡＰ・ＸＭＬ／ＨｔｔｐのＡＰＩラッパー、ＰＯＳＡ用ソケット(Ｓｏｃｋｅｔ)・サーバ、及びＡＰＩラッピング・ストアド・プロセジャ（Ｓｔｏｒｅｄ  Ｐｒｏｃｅｄｕｒｅｓ）。
【００６４】
アプリケーション・サービス・モジュール５３０は、対話サービスの開発を容易にするために設けられている。アプリケーション・サービス・モジュール５３０は、ワークフローにオーバーレイされる全要素間のトランザクションを容易にするためのサービスを提供する。具体的に、トランザクションレベルでは、アプリケーション・サービス・モジュール５３０は、トランザクション・パーシステンス、ロールバック、ジャーナル処理、エラー処理、及びキューイングを提供する。
３．その他の実施例
【００６５】
フロントエンド、バックエンド、コンテンツ／メディア、小売、支払い、及び機器の分配等のサービスは、ＭＶＮＯの好みに応じて、ＭＶＮＥシステム２１０又は３１０、ブランドシステム２９０、又はサードパーティシステム２９２によって処理される。フロントエンド・サービスとしては、例えば、マーケティング、受注、アクティベーション、カスタマーケア、ライフサイクル管理、コンテンツ提供、及び抱き合わせ販売が挙げられる。バックエンド・サービスとしては、例えば、小売店ＡＰＩ及びポータル、請求、評価、仲介、レポート、流通及びフルフィルメント、リバース・ロジスティックス、請求書の提示、クレジット・チェック、課税、支払いが挙げられる。サードパーティシステム２９２がある場合、該サードパーティシステム２９２はＭＶＮＥシステム２１０若しくは３１０、又はブランドシステム２９０のどちらに対してもインターフェースとして機能できる。
【００６６】
以上の説明においては、説明目的のために、本発明を完全に理解できるよう多くの詳細を示している。しかしながら、本発明はそのような具体的な詳細が無くても実施することができることは当業者に明らかであろう。他の例では、本発明を分かりにくくするのを避けるため、構造及び装置をブロック図で示している。
【００６７】
本明細書中で「１実施例」又は「ある実施例」というときは、該実施例に関連して説明する特定の特徴、構造、若しくは特性が本発明の少なくとも１実施例に含まれるという意味である。本明細書中の様々な場所で使われている「１実施例」という語句は、必ずしも同一の実施例を指すものではない。
【００６８】
詳細な説明には、コンピュータ・メモリ内のデータ・ビットに対する演算をアルゴリズム及び記号で表した部分が含まれる。このようなアルゴリズム的な説明及び表現は、作業の内容を他の当業者に最も効果的に伝える目的でデータ処理分野の当業者が用いる手段である。ここでは、また、一般的にも、アルゴリズムは所望の結果に導く工程のセルフコンシステント・シーケンスと考えられている。該工程は、物理量の物理的操作を要求するものである。通常、該物理量は、記憶、転送、結合、比較、その他の処理可能な電気又は磁気信号という形をとる。主に一般的な用法により、上記信号は、ビット、値、要素、記号、文字、用語、数字等として表すことが時には便利であることが分かっている。
【００６９】
しかしながら、上記用語及び類似の用語全ては、適当な物理量に関連付けられるものであり、該物理量に付される便利な標識に過ぎないことを念頭に置いておかなければならない。特にことわらない限り、本説明全体にわたって、「処理」、「演算」、「計算」、「判定」、「表示」等の用語を用いた記述は、コンピュータシステムのレジスタやメモリ内で物理（電気）量として表されたデータを処理して、コンピュータシステムのメモリやレジスタ、又はその他の情報記憶装置、伝送装置若しくは表示装置内で物理量として表された他のデータに変換するコンピュータシステム又は同様の電子演算装置の動作及び処理を表すものである。
【００７０】
また、本発明は、ここに説明した動作を実行するための装置に係る。本装置は、要求される目的のために特別に構築されたものであっても、コンピュータに記憶されたコンピュータプログラムによって選択的に起動されるか再設定される汎用コンピュータから成るものでもよい。このようなコンピュータプログラムは、コンピュータによって読み取り可能な記憶媒体、例えば、フロッピーディスク、光ディスク、ＣＤ−ＲＯＭ、及び光磁気ディスク等のディスク、読み出し専用メモリ（ＲＯＭ）、ランダムアクセスメモリ（ＲＡＭ）、ＥＰＲＯＭ、ＥＥＰＲＯＭ、磁気若しくは光学カード、又は電子命令を記憶するのに適した媒体であってコンピュータシステム・バスに連結されている媒体等に記憶することができるが、これに限定されない。
【００７１】
ここで提示したアルゴリズム及び表示は、ある特定のコンピュータ又はその他の装置に本質的に関連するものではない。ここに示した教示にしたがうプログラムには様々な汎用システムを用いてもよいが、要求される方法の工程を実行するためにより特化した装置を構成するほうが都合が良いこともある。このような様々なシステムに要求される構造は、本説明から明らかである。更に、本発明は、ある特定のプログラミング言語について説明されるものではない。ここで説明した本発明の教示を実施するために様々なプログラミング言語を用いることができることが分かるだろう。
【００７２】
ここで説明した例は本発明の代表的な実施例を単に説明したものであり、本発明の基本的な特徴から逸脱することなく、他の構成、方法、アーキテクチャ、設定を実施することができることを当業者は認知しているであろう。従って、本発明の開示は以下に記載した本発明の範囲を説明するものであり、限定するものではない。
【図面の簡単な説明】
【００７３】
【図１】自社ブランド無線商品を提供する従来のシステムを示すブロック図である。
【図２Ａ】本発明の１実施例に係る自社ブランド無線商品を提供するシステムを示すブロック図である。
【図２Ｂ】本発明の別の実施例に係る自社ブランドの無線商品を提供するシステムを示すブロック図である。
【図３】本発明の１実施例に係るカスタマイズ可能な自社ブランド無線商品を提供するシステムを示すブロック図である。
【図４Ａ】本発明の別の実施例に係るカスタマイズ可能な自社ブランド無線商品を提供するシステムを示すブロック図である。
【図４Ｂ】本発明の別の実施例に係るカスタマイズ可能な自社ブランド無線商品を提供するシステムを示すブロック図である。
【図５】本発明の１実施例に係るカスタマイズ可能な自社ブランド無線商品を提供するシステムを示すブロック図である。
【図１】
2007505516.tif 000003
【図２Ａ】
2007505516.tif 000004
【図２Ｂ】
2007505516.tif 000005
【図３】
2007505516.tif 000006
【図４Ａ】
2007505516.tif 000007
【図４Ｂ】
2007505516.tif 000008
【図５】
2007505516.tif 000009
【国際調査報告】
2007505516.tif 000010